(57)【要約】【課題】建物屋上を含む構造物のスラブ上、道路路傍や中央分離帯、さらには農地、岩盤地及び砂漠などに、きわめて簡便かつ低コストで構築できる緑化システムを提供すること。【解決手段】土壌（Ｓ）を収容可能としたプランタ（１）の端部同士を連結自在として延長自在に構成するとともに、中継枡（２）を介して縦横連結自在に構成した。さらに、土壌（Ｓ）を収容可能とし、端部同士を連結自在として延長自在に構成したプランタ（１’）を具備し、しかも、同プランタ（１’）は、長手側壁（１６）を有する一対のプランタ分割体（１ａ）からなることとした。【選択図】　　　図２
2004049226.tif 000002
【特許請求の範囲】
【請求項１】
その内部に土壌が保持され対向する内壁面を有した一対のプランタ分割体と、前記プランタ分割体同士を所定間隔で連結支持するプランタ支持体と、前記プランタ分割体の長手方向端部に設けられ他のプランタ分割体や端部側を閉止する側端部材に着脱される連結部と、を有することを特徴とするプランタ。
【請求項２】
板状に形成した複数のプランタ分割体と、これらプランタ分割体同士を所定間隔で連結支持するプランタ支持体と、前記プランタ分割体の長手方向端部に設けられ、他のプランタ分割体や端部側を閉止する側端部材に着脱される連結部とを有し、前記複数のプランタ分割体間に多列の土壌収納空間を形成したことを特徴とするプランタ。
【請求項３】
前記プランタ支持体に前記プランタ分割体の間隔をスライド又は段階的に位置設定自在に支持する係止部が設けられていることを特徴とする請求項１又は２に記載のプランタ。
【請求項４】
前記土壌の底部側を支持する前記プランタ支持体に着脱自在とし、前記プランタ分割体の内壁間に収納された土壌に水分や栄養分を供給する給水部を備えることを特徴とする請求項１〜３のいずれか１項に記載のプランタ。
【請求項５】
前記プランタ分割体が、前記土壌を内部に保持する内壁部材と、前記内壁部材の外面側に積層された装飾部材とを備えていることを特徴とする請求項１〜４のいずれか１項に記載のプランタ。
【請求項６】
土壌を収納する複数のプランタを連結部を介して延長自在に連結させるとともに、前記プランタの端部間に縦横に連結する中継枡を設けたことを特徴とする緑化システム。
【請求項７】
前記プランタが請求項１〜５のいずれか１項に記載のプランタであって、前記プランタ分割体の連結部を介して延長自在に構成されることを特徴とする緑化システム。
【請求項８】
前記プランタを高さ調整自在に支持するスペーサ体を具備することを特徴とする請求項５〜７のいずれか１項に記載の緑化システム。
【発明の詳細な説明】
【０００１】
【発明の属する技術分野】
この発明は、建物屋上を含む構造物のスラブ上、道路路傍や中央分離帯、さらには農地、岩盤地及び砂漠などを人工的に緑化可能としたプランタ及び緑化システムに関するものである。
【０００２】
【従来の技術】
従来、建物屋上などを緑化する場合、人工土壌を敷き均してその上に植栽するか、プランタなどを設置する方法が一般的に採用されていた。
【０００３】
また、特許文献１に開示されているように、高さの低い側壁をもつ遮水槽を施設し、この遮水槽内に多孔質培土を敷き詰めるとともに、同多孔質培土層内に給水パイプ及び排水パイプを施設した定置型の植栽ベッドと、通水性の底をもつ平板状のカゴ内に粒状多孔質資材を入れて植栽した取替可能な植栽カゴセットとの組合せからなるものがある。
【０００４】
【特許文献１】
特開平８−８０１３０号公報
【０００５】
【発明が解決しようとする課題】
ところが、上述の一般的な方法では、例えば人工土壌を敷き均す方法であれば土壌の荷重などで建物への負荷が大きくかかるので、構造を頑強にするためのコストが嵩んだり、それを回避するために特殊な軽量植栽工法を採用しなければならなくなったりするなどの制約があった。しかも、建物の屋上などに土壌が存在することになるので、滞水による漏水問題も解決せねばならず、やはりコストがかかるものであった。
【０００６】
また、従来のプランタでは収容できる土壌の量や、その形態が固定されているためにプランタの設置条件や植える植物の種類などに応じて自在に設定する際の自在性に欠け、デザイン性や汎用性が悪くなってしまうという問題があった。さらに、プランタの不使用時には嵩張るために多くの収納スペースが必要となって収納性にも欠けるという欠点もある上に、プランタを新たに型起こしから製造するとなると、コストが嵩むおそれがあった。
【０００７】
また、単にプランタを用いただけの方法では、各プランタとプランタ設置面との間に滞水しやすく、この滞水の処理を考慮せねばやはり漏水などの問題を生じ、さらに各プランタそれぞれの排水を考慮しなければ根腐れを起こして発育が悪くなるなどの課題が残されていた。また、通常のプランタを連続して並べただけでは見栄えが悪いという問題もあった。
【０００８】
さらに、上記した特許文献１に開示された技術は、確かに滞水、排水の問題は解決し得るものであったとしても、貯水槽や給水用ポンプ、排水用ポンプなどの付帯設備が必要であり、工事の手間やコスト的な点からすると容易に実施し得るものではなかった。
【０００９】
本発明は上記課題を解決するためになされたもので、プランタデザインにおける自在性やその収納性、経済性に優れたプランタを提供するとともに、建物の構造や緑化困難地などの地形的問題、地質的問題に適宜対応可能で、低コストで早期に緑化可能とし、しかも漏水や潅水の問題もない緑化システムを提供することを目的としている。
【００１０】
【課題を解決するための手段】
（１）上記課題を解決するために、請求項１記載の本発明のプランタでは、その内部に土壌が保持され対向する内壁面を有した一対のプランタ分割体と、前記プランタ分割体同士を所定間隔で連結支持するプランタ支持体と、前記プランタ分割体の長手方向端部に設けられ他のプランタ分割体や端部側を閉止する側端部材に着脱される連結部と、を有するように構成した。
【００１１】
（２）請求項２記載の本発明では、板状に形成した複数のプランタ分割体と、これらプランタ分割体同士を所定間隔で連結支持するプランタ支持体と、前記プランタ分割体の長手方向端部に設けられ、他のプランタ分割体や端部側を閉止する側端部材に着脱される連結部とを有し、前記複数のプランタ分割体間に多列の土壌収納空間を形成したプランタとした。
【００１２】
（３）請求項３記載の本発明では、前記（１）又は（２）において、前記プランタ支持体に前記プランタ分割体の間隔をスライド又は段階的に位置設定自在に支持する係止部が設けるように構成することができる。
【００１３】
（４）請求項４記載の本発明では、前記（１）〜（３）のいずれかにおいて、前記土壌の底部側を支持する前記プランタ支持体に着脱自在とし、前記プランタ分割体の内壁間に収納された土壌に水分や栄養分を供給する給水部を備えるように構成できる。
【００１４】
（５）請求項５記載の本発明では、前記（１）〜（４）のいずれかにおいて、前記プランタ分割体が、前記土壌を内部に保持する内壁部材と、前記内壁部材の外面側に積層された装飾部材とを備えるように構成した。
【００１５】
（６）請求項６記載の本発明に係る緑化システムでは、土壌を収納する複数のプランタを連結部を介して延長自在に連結させるとともに、前記プランタの端部間に縦横に連結する中継枡を設けるように構成した。
【００１６】
（７）請求項７記載の本発明では、前記プランタが前記（１）〜（５）のいずれかのプランタであって、前記プランタ分割体の連結部を介して延長自在に構成した。
【００１７】
（８）請求項８記載の本発明では、前記（５）〜（７）のいずれかにおいて、前記プランタを高さ調整自在に支持するスペーサ体を具備するように構成されている。
【００１８】
【発明の実施の形態】
本実施の形態に係るプランタは、その内部に土壌が保持され対向する内壁面を有した一対のプランタ分割体と、前記プランタ分割体同士を連結支持するプランタ支持体と、前記プランタ分割体の長手方向端部に設けられ他のプランタ分割体や端部側を閉止する側端部材に着脱される連結部と、を有して構成したものである。かかる構成とすることで連結部を介して複数のプランタ同士を自在に連結して配置できるので、多様な場所に対応させてそのプランタデザインを自在に行うことができる。また、使用しない場合には、プランタをプランタ分割体とプランタ支持体とに分解できるのでその収納性に優れている。さらに、これら各部材を個別に製造することができるので、生産性に優れ低コストでプランタを製造できる。
【００１９】
また、他の実施形態としては、板状に形成した複数のプランタ分割体と、これらプランタ分割体同士を所定間隔で連結支持するプランタ支持体と、前記プランタ分割体の長手方向端部に設けられ、他のプランタ分割体や端部側を閉止する側端部材に着脱される連結部とを有し、前記複数のプランタ分割体間に多列の土壌収納空間を形成することもできる。
【００２０】
前記一対のプランタ分割体は、それぞれが略板状であって、平板状であったり、あるいはその下部側に湾曲部などを有するように形成され、土壌が収容されるその底部側の基部がプランタ支持体に所定間隔で固定されたり、その対の包囲する帯状や枠状などのプランタ支持体で双方が接続自在に配置されるようにしている。
【００２１】
プランタ支持体は、それぞれのプランタ分割体の長手方向に対して直交してその下部に配置され、突起状やフック状の係止部を介してプランタ分割体を固定支持できるようになっており、地上や屋上など、設置面とのスペーサとしても機能している。なお、プランタ支持体はプランタ分割体間に収納される土壌の底部側を、プランタ分割体下部の湾曲部によらず直接支持するように配置してもよい。
【００２２】
連結部は、プランタ分割体の端部同士を直接付き合わせてもよいし、プランタ分割体の端部に溝状やフランジ状に形成したり、金属製やプラスチック製、木製などの接続部材が嵌合する孔部を形成したりして設けてもよい。この連結部に他のプランタ分割体の端部が接続部材を介して接続される。
【００２３】
また、前記プランタ支持体に前記一対のプランタ分割体の間隔をスライド又は段階的に位置設定自在に支持する係止部を設けるように構成することもでき、これによって、プランタ分割体間に収容できる土壌の量をその使用環境に応じて適宜調整することができ、汎用性に優れたプランタを提供できる。
【００２４】
係止部はプランタ支持体上にフック状に形成したり、あるいは係止ピンやボルトなどが挿入される位置固定孔をプランタ支持体に多数穿設したりして設けることができる。また、プランタ分割体の固定位置をスライド自在にする場合は、係止部を細長の溝部に形成して、この溝部に嵌合してスライドする突起部をプランタ分割体に設け、プランタ分割体とプランタ支持体をボルトナットなどで締めつけて所定位置で固定するようにできる。
【００２５】
本実施の形態のプランタには、土壌の底部側を支持する前記プランタ支持体に、前記プランタ分割体の内壁間に収納された土壌に水分や栄養分を供給する給水部を設けることができる。これによってプランタにおける植物の栽培管理などを容易かつ適正に行うことができる。さらに多数のプランタを連結させてネットワーク状に緑化システムを広範囲に構成する際に全体を集中管理でき、そのメンテナンス性に優れている。
【００２６】
給水部は、例えば、プランタ支持体の上部に沿って配置され多数の透水孔が形成されて外部から水分や栄養分などが供給される透水管と、前記透水管の周囲を覆うように配置された多孔体と、前記多孔体にその基部が貫入して立設されて収容された土壌の上部に水分を補給する水分補給管とを有しており、プランタ内の土壌の上部及び下部に水分や栄養分を万遍なく行き渡らせることができる。
【００２７】
前記プランタ分割体としては、前記土壌を内部に保持する内壁部材と、前記内壁部材の外面側に積層された装飾部材とを備えるように構成することもできる。これによって、プランタにおける装飾性を高めることができ、栽培する植物の種類や、季節などの環境条件に応じて、装飾部材を別のデザインのものに交換して、年間を通じて飽きさせることなく周囲の目を楽しませることができる。
【００２８】
本実施の形態の緑化システムにおいては、土壌を収納する複数のプランタを連結部を介して延長自在に連結させるとともに、前記プランタの端部間に縦横に連結する中継枡を設けるように構成することができる。
【００２９】
このような中継枡を介してプランタを多数連結してネットワーク状などに構成することによって、建物の構造や緑化困難地などの地形的問題、地質的問題に適宜対応可能で、低コストで早期に緑化可能とし、しかも漏水や潅水の問題もない緑化システムを提供することができる。
【００３０】
本実施の形態においては、土壌を収容可能としたプランタの端部同士を連結自在として延長自在に構成することができる。このように、プランタを縦横に配設し、また、かかるプランタ同士を中継枡を介して複数個連続的に連結可能とすることができ、建物の屋上などにプランタを自由にレイアウトして、所望する領域の緑化が簡便に行える。
【００３１】
また、このように中継枡を用いることにより、配設するプランタの伸延方向を例えば直角方向に変えたりして、プランタ群を面状に伸延させたりするなど、プランタを所望するレイアウトで配設することが可能となる。
【００３２】
かかる中継枡としては、例えば箱型形状としてその周壁にそれぞれプランタ受け部となる切欠部を形成するなどの簡単な構成が考えられる。かかる中継枡内には高木の植栽も可能である。あるいは、箱型形状とするものに限らず、単にＬ字状のジョイント部材を中継枡として用いても構わない。
【００３３】
土壌を収容可能としたプランタとしては、通常の箱型のプランタと異なり、半円筒状や角溝状などの両端開口で、かつ断面凹形状とした樋状のものに限るものではなく、さらには有底である必要もなく、例えば土壌を受けることのできる別部材を別途備え、プランタ本体としては長手側壁を有する一対の分割体からなるものでもよい。さらに、プランタとしては一対のプランタ分割体を適宜幅で対峙状態に並設し、両分割体間に土壌を受けるための底部形成板を別途着脱自在に配置し、同底部形成板とともに一対の分割体を適宜手段によって形状を維持しながら固定する構成のものなどが考えられる。これによって、材料的にはきわめて低コストでありながら、潅水や排水などのコントロールを行い易くすることができ、しかも、プランタの幅寸、すなわちプランタの容積そのものを可変にできる。
【００３４】
また、前記プランタ分割体の連結部を介して延長自在に構成することができ、プランタ同士を連結して延長するには、例えば、端部の連結部を用いたり、専用のジョイントを用いたりして連結することができる。こうして、多数のプランタを格子状などに幅広く配置して、緑溢れるグリーンベルトなどをいかなる場所においても容易かつ低コストで緑化システムを構築することができる。
【００３５】
本実施の形態の緑化システムでは、かかるプランタを高さ調整自在に支持するプランタ支持体を兼ねたスペーサ体を備えていることにも特徴があり、スペーサ位置を調整することで建物への荷重の負荷位置を選択できるとともに、プランタはスペーサにより浮いた状態で支持され、プランタと建物の屋上面との間に空間が形成されることになるので、遊水などは自由に排水可能で、かつ速やかに屋上面を乾燥させることもでき、滞水を生じることを防止できる。
【００３６】
さらに、高さを異ならせた複数スペーサ体を配設して、各プランタに排水用勾配を付与可能とすることもできる。これによって、単位プランタを長尺物として形成した場合などに、高さ違いのスペーサをプランタの前後に２個配設すれば、排水勾配を自由に設定することが可能となるものであり、かかる構成によりプランタ内の排水が容易となる。
【００３７】
また、所定間隔をあけて並設された上記のプランタ間に架設可能とした植栽補助手段を具備する構成とするとよい。すなわち、プランタ内での植物の成長による枝葉の伸長が植栽補助手段上に広がってプランタ間においても十分な緑化が可能となり、効率的に広範囲の緑化が可能となる。特に、ツタ類などであれば広範囲の緑化がより効率的に行える。
【００３８】
ところで、上記植栽補助手段は、網状体もしくは棒状体より形成することもできる。これによって、緑化システムが簡易に形成可能で、効率的に緑化の補助が可能となる。なお、前記棒状体は水平方向に伸延させてもよいし、垂直に立設して植物の支柱として利用することもできる。この場合、支柱となる棒状体を立設しやすくするための補助具をプランタ自体に、あるいは前記スペーサ体などに設けることができる。
【００３９】
なお、上記したプランタや中継枡、及び植栽補助手段などの素材としては特に限定されるものではなく、荷重の点からは塩化ビニル、プラスチックなどの合成樹脂製が望ましいが、例えばコンクリート製、金属製であっても構わない。さらに、所望する彩色にすることで、意匠的にも美観を向上させることができる。また、プランタは湾曲状に形成してもよく、この場合、プランタ同士を連結することでリング状に構成することも可能となる。
【００４０】
【実施例】
以下、本発明の実施例１〜６に係る緑化システムについて、図面を参照しながらより具体的に説明する。
【００４１】
（実施例１）
図１は実施例１に係る緑化システムを示す説明図、図２は同緑化システムを採用してビルディング等の建物の屋上を緑化した状態を示す説明図である。
【００４２】
図１に示すように、本緑化システムＡは、土壌Ｃを収容できる樋状に形成され、開口した端部同士を連結自在とした複数のプランタ１と、各プランタ１同士を縦横自在に連結可能とした中継枡２と、前記各プランタ１の高さを調整自在に支持するスペーサ体（プランタ支持体）３と、所定間隔をあけて並設された各プランタ１間に架設可能とした植栽補助手段４とを具備している。
【００４３】
実施例１におけるプランタ１は長さを１ｍ程度とし、塩化ビニル製の略半円筒状に形成されており、図３（ａ）に示すように、両端部に係合部（連結部）１０，１０’をそれぞれ一体的に形成している。そして、図３（ｂ）に示すように、一方の係合部１０に形成した凹状溝部１１に他方の係合部１０’に形成した係合凸条１１’を係合して互いを連結可能としている。このようにすることで、プランタ１の内周面同士を段差など生じることなく確実に突合せ状態で連結することができる。なお、プランタ１の長さは適宜設定して構わない。
【００４４】
プランタ１の一方の端部に一体成形された上記係合部１０は、図３（ａ）に示すように、端部側に断面コ字状とした凹状溝部１１を設け、所定間隔をあけてフランジ１２を設けており、同フランジ１２と前記凹状溝部１１との間に、前記中継枡２と係合させるための係合溝１３を設けている。
【００４５】
また、他方の端部に一体成形された上記係合部１０’は、図３（ａ）に示すように、端部側に形成した係合凸条１１’から所定間隔をあけてやはりフランジ１２を設け、同フランジ１２と前記係合凸条１１’との間に、これも前記中継枡２と係合させるための係合溝１３を設けている。
【００４６】
なお、プランタ１の端部の構造としては、図４に示すように、一端に係合用膨出部１０ａを形成する一方、他端はストレート形状そのままのよりシンプルな構成とすることができる。
【００４７】
かかる構成であっても、プランタ１の内周面同士は段差など生じることなく確実に突合せ状態で連結することができる。
【００４８】
さらに、両端を開口したプランタ１の末端部処理を行うために、図５に示すように、端部を閉塞可能としたエンドキャップ（側端部材）１５を設けている。
【００４９】
中継枡２は、図１に示すように、上方開口の箱型形状とするとともに、その周壁２０にそれぞれプランタ受け用切欠部を形成しており、同プランタ受け用切欠部の端縁に前記プランタ１の係合溝１３を係合して、プランタ１の端部を中継枡２内部に臨ませた状態で各プランタ１同士を中継可能としている。２１は排水口である。
【００５０】
したがって、本実施例に係る緑化システムＡでは、かかる中継枡２を用いることにより、配設するプランタ１の伸延方向を例えば直角方向に変えたりすることが可能となり、プランタ群を面状に伸延させたりするなどして、建物の屋上などの被緑化面Ｂに複数のプランタ１を自由にレイアウトすることができ、図２に示すように所望する領域の緑化を簡便に行うことができる。また、本中継枡２内には高木Ｐ１の植栽も可能である。
【００５１】
また、図１及び図２に示すように、各プランタ１は、プランタ支持体を兼ねたスペーサ体３により高さを調整自在に支持されている。
【００５２】
すなわち、スペーサ体３の配設位置を調整することで、被緑化面Ｂになる建物への荷重の負荷位置を選択できるとともに、プランタ１はスペーサ体３により浮いた状態で支持されているので、プランタ１と建物の屋上面（被緑化面Ｂ）との間に空間が形成されることになるので、遊水などは自由に排水可能で、かつ速やかに屋上面を乾燥させることも可能となる。
【００５３】
また、図６に示すように、かかるスペーサ体３として、例えば高スペーサ３ａ、中スペーサ３ｂ、低スペーサ３ｃなどのように高さを異ならせたものを複数個用意しておき、これを適宜配設することで各プランタ１に排水用勾配を付与することができる。なお、高さ違いの種類は適宜設定することができる。
【００５４】
図示するように、連結して伸延させたプランタ１に、高さ違いのスペーサ体３を配設することで、排水勾配を自由に設定することが可能となってプランタ１内の排水が容易となる。あるいは、長尺のプランタ１であれば、その前後に高さ違いで２個配設してもよい。
【００５５】
ところで、図６に示した例では、スペーサ体３に逆アーチ状に形成した支持具５を取付け、同支持具５上にプランタ１を載置した構成としているが、図１及び図２に示すように、スペーサ体３上に直接プランタ１を載置してもよい。また、図１及び図２に想像線（一点鎖線）で示したように略Ｌ字状の固定部材６などを介して載置固定するようにしてもよい。さらに、図７に示すように、ベルト８５などの緊締手段を用いて簡易に固定する構成とすることもできる。図７中、８６，８７はベルト８５の一端を連結するリングと他端を結ぶリングである。
【００５６】
また、上記した植栽補助手段４として、本実施例においては枠部４０にネット４１を張設した略１ｍ四方の網状体を用いており、図１及び図２に示すように、枠部４０に複数の穴４２を設け、同穴４２と対応するようにプランタ１に設けた穴１４とをフック４３で連結している。
【００５７】
かかる植栽補助手段４を設けてプランタ１同士を連絡することで、図２に示すように、植物が成長してその枝葉Ｐ２などが植栽補助手段４を介して広がり、被緑化面Ｂを一体的に緑地化することができる。なお、植栽補助手段４は網状体に限らず、水平に配置した棒状体などで構成しても構わないし、その大きさなども任意に設定可能である。また、棒状体を立設して植物の支柱とすることもできる。かかる支柱としての棒状体を取付けやすくするための取付補助具などを、前記プランタ１、あるいはスペーサ体３に設けるとなおよい。
【００５８】
また、上記フック４３に代えて紐体などを用いて植栽補助手段４をプランタ１に取付ける簡易的手段を採用することもできる。この場合、プランタ１に設けた穴４２も不要となる。
【００５９】
このように、本実施例に係る緑化システムＡでは、比較的少量の土壌Ｃを収容したプランタ１を簡便に連結しながら所望する範囲に配設することができ、きわめて簡単な構成で建物屋上などの被緑化面Ｂを効率的に緑化できる。
【００６０】
プランタ１同士の長手方向へ延長するための連結部の構造としては、上述したようにプランタ１の端部に係合部１０、１０’を形成するのみならず、プランタ１の端部同士を嵌合したり、プランタ１の端部同士を突合せた状態で耐水性を有する粘着テープなどで固定したりするような、より簡易な方法を採用してもよいし、あるいは、図８に示すように専用連結具７を用いることもできる。
【００６１】
すなわち、専用連結具７として、図８に示すように、プランタ１の端部に対応する全体形状を有し、プランタ端部を差込嵌合する差込口部７０を両端に形成した構成とするものである。かかる構成であっても、プランタ１同士の内周面に段差などを生じることなく、かつ確実な連結が可能となる。
【００６２】
さらに、図８に示すように、上述したスペーサ体３に代えて、専用のプランタ支持具８を用いてプランタ１を支持するようにしてもよい。
【００６３】
プランタ支持具８は、長手状の載置部本体８０の中央に二本のスペーサ支持部８１を上方へ突設したスペーサ支持体８ａと、プランタ１あるいは前記専用連結具７を包持可能な形状とした専用スペーサ８ｂとを具備した構成としている。
【００６４】
そして、スペーサ支持体８ａの載置部本体８０及び二本のスペーサ支持部８１にかけて高さ調整用孔８２を設けるとともに、これに対応するように、前記専用スペーサ８ｂには高さ調整用長孔８３を設けている。
【００６５】
かかる構成により、高さ調整用孔８２と高さ調整用長孔８３とを適宜組合せれば、前述したように高スペーサ３ａ、中スペーサ３ｂ、低スペーサ３ｂなど複数種設定したものと同様に、一種類のプランタ支持具８を用意するだけでプランタ１に対して排水勾配を自由に設定することができる。
【００６６】
また、上記専用連結具７の変形例として、図９に示すように、水抜孔７ａを設けた谷部用専用連結具７’を用いることができる。
【００６７】
これは、プランタ１を複数本長手方向に連結して延長する場合、連結されたプランタ１は下り勾配と上り勾配とを交互に組み合わせることで一端の高さが過剰に高くならないように抑えることができるが、そのときの谷部に位置する連結部分にこの谷部用専用連結具７’を用いるものである。
【００６８】
なお、同谷部用専用連結具７’の内側形状は、プランタ１の端部にフランジなどの凹凸を設けていない基本形状のものに対応して、単純にプランタ１の端部を嵌装可能な段差部７ｂを設けている。
【００６９】
かかる谷部用専用連結具７’を用いることで、プランタ１の連結は勿論のこと排水もきわめて容易となり、プランタ１の連結延長を自在に行うことができる。なお、この場合、プランタ１の各端部には前記水抜孔７ａに対応する切欠部１ｂを設けておく。
【００７０】
（実施例２）
次に、実施例２として図１０及び図１１に示した構成のプランタ１’を用いることができる。図１０は組立てた状態のプランタ１を示す説明図、図１１は同プランタ１’の分解斜視図である。
【００７１】
すなわち、実施例２におけるプランタ１’は、土壌を収容可能とし端部同士を連結部を介して連結自在として延長自在に構成し、しかも、長手側壁１６を有する一対のプランタ分割体（プランタ構成用分割体）１ａからなることを特徴とするものである。
【００７２】
より具体的に説明すると、図示するように一対のプランタ分割体１ａを適宜幅で対峙状態に並設し、両プランタ分割体１ａ，１ａ間に土壌を受けるための底部形成板９を別途配置し、同底部形成板９とともに一対の分割体１ａの任意個所をゴムバンド８８などの適宜手段によって形状を維持しながら固定する構成としている。
【００７３】
すなわち、実施例２では、底部形成板９を透水性を有するマット状のものとし、その下方には同底部形成板９を載置するための格子状床枠９０を適宜配設し、さらに、プランタ分割体１ａをゴムバンド８８などで緊締した際に、プランタ分割体１ａが内側に押されて変形することを防止するための突張板９１を適宜間隔で配設している。
【００７４】
格子状床枠９０や突張板９１は、材料としては成形容易なものであれば金属、合成樹脂等でもよく、また形状としても何ら限定されるものではない。
【００７５】
かかる構成のプランタ１’とすることにより、対峙状態とした一対のプランタ分割体１ａの両者の間隔を変更することで、プランタ１’自体の幅寸、すなわちプランタ１’の容積そのものを可変とすることが簡単に実現できる。
【００７６】
このとき、図示するように、プランタ１’同士の連結部を連結する専用連結部材７７のスペーサ体３への取付個所を所望するプランタ１’の幅に応じて可変となるように複数の取付孔７８をスペーサ体３に設けておくとよい。あるいは、取付孔７８を長孔にしても構わない。７９は取付ボルトである。
【００７７】
なお、上記底部形成板９及び格子状床枠９０は必ずしも必要ではなく、プランタ１’の幅が狭いものであれば、プランタ分割体１ａ，１ａ同士を突き合わせただけの構成とすることもできる。
【００７８】
また、上記専用連結部材７７の内側形状は、前述した谷部用専用連結具７’と同様のものを採用しているが、かかる形状についても限定するものではない。
【００７９】
このように、長手側壁１６を有する一対のプランタ分割体１ａによりプランタ１’を構成したことで、材料的にきわめて低コストとしながらなおかつ潅水や排水などのコントロールを行いやすくすることができる。
【００８０】
実施例２の変形例として図１２に示す構成とすることもできる。
【００８１】
これは、上述した実施例２（図１１及び図１２参照）と同様に、土壌を収容可能とし、端部同士を連結自在として延長自在に構成し、しかも、長手側壁１６を有する一対のプランタ分割体１ａを備えるものであるが、両プランタ分割体１ａの縁部に沿ってボルト孔９８を設けるとともに、同ボルト孔９８に対応するボルト孔９８’を設け、さらに、通水孔９ｂを設けた矩形形状の底板９ａを着脱自在に設けたものである。すなわち、透水性を有するマット状の同底部形成板９に代えて、底板９ａを着脱自在に設けたものであり、固定用ボルト９９、ナット９９’により連結している。なお、この場合も、格子状床枠９０は必要に応じて適宜配設すればよい。
【００８２】
ところで、本実施例２の変形例では、プランタ分割体１ａとして、長手側壁１６が湾曲した形状、すなわち樋形状のものを長手方向に二つ割にした形状としたが、図１３〜図１６に示す変形例のように、平板状としても構わない。
【００８３】
図１３に示したものは、フラットな帯板状のプランタ分割体１ａを、それぞれ外側に若干倒した状態で対峙させて配設したものである。この例では、格子状床枠９０の枠側端を屈曲させて分割体連結部９２としている。そして、プランタ分割体１ａの下端近傍に連結孔９３を設けて、前記分割体連結部９２によりプランタ分割体１ａの下端近傍を縫うように連結している。かかる構成とすれば、プランタ分割体１ａが外方に膨らんだりすることを確実に防止することができる。
【００８４】
図１４に示したものは、プランタ分割体１ａとしては基本的には図１３で示したような帯板状としているが、下端縁に断面視ヘアピン状の折返し部９４を設けて強度を向上させている。
【００８５】
また、図１５に示したものは、プランタ分割体１ａの長手側壁１６に連続する底形成部１７を連設し、しかも、同底形成部１７を山、谷が連続するギザギザ形状として、同底形成部１７同士を重合、あるいは付合わせてプランタ１’を構成するようにしている。
【００８６】
したがって、プランタ幅を調整する場合は底形成部１７同士の重合幅を変更することで容易に行える。勿論、底形成部１７同士を重合させずに端部同士を突き合わせた状態や互いが離隔した状態で配設しても構わない。
【００８７】
９５は対峙状態に配設されたプランタ分割体１ａ同士を連結する連結杆であり、一端を折曲するとともに、他端には長孔を設けて同長孔に緊締手段としての楔体９６を嵌入してプランタ１’としての形状を保持可能としている。したがって、この場合は前記したゴムバンド８８などは不要となる。また、９’は土壌受であるが、本例ではメッシュ状のシートを用いている。なお、土壌受９’としては前記底部形成板９と同様な構成でも構わない。
【００８８】
また、図１６に示したものは、格子状床枠９０に代えて底板９０’を用いたもので、同底板９０’の両端を上方へ折り返し、同折り返し部９０’ａとプランタ分割体１ａの下端部とをボルト９０’ｂ、ナット９０’ｃより連結した構成としている。なお、図１３〜図１６中、Ｓは土壌である。
【００８９】
以上各実施例１、２を通して本発明を説明したが、上述した構成のプランタ１，１’とすることにより、材料的にはきわめて低コストでありながら、潅水や排水などのコントロールを行いやすくすることができ、しかも、プランタの幅寸、すなわちプランタの容積そのものを可変とすることができる。
【００９０】
なお、実施例１、２では、被緑化面Ｂを建物の屋上として説明したが、被緑化面としては道路路傍、中央分離帯などのように面積的に狭い場所でも適用可能であり、さらには、岩盤地、塩害地、砂漠などのような緑化困難地であっても、低コストで緑化を図ることが可能となる。
【００９１】
（実施例３）
図１７は本発明の実施例３に係るプランタが適用される緑化システムの斜視図、図１８は同緑化システムを示す平面図、図１９は同緑化システムの正面断面図である。
【００９２】
図１７〜図１９に示すように、実施例３のプランタ１００は、対向する内壁面を有した左右一対のプランタ分割体１００ａと、連結されたプランタ分割体１００ａの底部側を支持するプランタ支持体１００ｂと、プランタ分割体の長手方向端部に設けられ他のプランタ分割体や端部側を閉止するためのエンドキャップなどの側端部材に着脱される連結部１００ｃと、両プランタ分割体１００ａの底部のプランタ支持体１００ｂ上に敷設される簀の子状部材１００ｄとを有し、その内部に土壌Ｓが保持される。緑化システム１０１はプランタ１００の連結部１００ｃを介してその長手方向に連結して全体が構成されている。
【００９３】
前記左右一対のプランタ分割体１００ａのそれぞれは、土壌Ｓを内部に保持する内壁部材１００ｅ及び内壁部材１００ｅの外面側に積層された装飾部材１００ｆからなる２層構造になっている。積層されたプランタ分割体１００ａの上端部には略コの字状断面の補強部材１００ｇが嵌着されてこの２層構造が補強されている。なお、隣接するプランタ分割体１００ａはその連結部１００ｃがプランタ支持体１００ｂに立設されたＨ字状などの支持ガイド１００ｈの溝に嵌合して全体が支持されるようになっている。
【００９４】
ここで図２０（ａ）〜図２０（ｃ）は隣接するプランタ分割体１００ａ同士を連結部１００ｃを介して連結させる場合の変形例を示している。
【００９５】
図２０（ａ）では、プランタ分割体１００ａの連結部１００ｃを埋め込みボルト１００ｊと、埋め込みボルト１００ｊで係止される連結金具１００ｋとを介してプランタ支持体１００ｂ上で連結する変形例を示しており、左右のプランタ分割体１００ａの端部同士が密着して連結金具１００ｋが直接外部に露出しないようにしている。
【００９６】
図２０（ｂ）では、断面がＨ字状の支持ガイド１００ｈにプランタ分割体１００ａを構成する内壁部材１００ｅの連結部１００ｃが嵌合して結合され、支持ガイド１００ｈの露出面にプラスチック材などからなる装飾層１００ｍを被覆接合した連結部１００ｃの変形例を示している。
【００９７】
図２０（ｃ）では、支持ガイド１００ｈの溝に内壁部材１００ｅ及び装飾部材１００ｆ’の両端部を嵌合して、両者を積層状態で支持するとともに、隣接するプランタ分割体１００ａ同士の結合を兼ねるようにした連結部１００ｃの変形例を示している。
【００９８】
以上のように構成されたプランタ１００をその長手方向に連結させて緑化システム１０１を構築して用いる場合の一例について述べる。まず、プランタ１００の内部に防水性又は透水性を有するシート１００ｉを図１９（ａ）に示すように敷きつめる。次に、シート１００ｉの上から植栽用の土壌を充填して、この土壌中に花や野菜などの種子、苗を植えつけて栽培する。これらの花や野菜を植え替える場合は、プランタ分割体１００ａのいずれか一方側を支持ガイド１００ｈに沿って引き上げる。これによって、図１９（ｂ）に示すようにその開口した側面側からシート１００ｉごと土壌をプランタ１００から容易に除去して、次の新しいものに交換したり植え付けたりすることができる。また、シート１００ｉを支持しておけば、側面側を開口したときに土壌が散逸することもない。
【００９９】
また、プランタ分割体１００ａは、本実施例では強度に優れた鉄製やステンレス製、あるいは強化コンクリート板などの内壁部材１００ｅと、装飾の付与が容易でありかつ軽量なプラスチック製などの装飾部材１００ｆからなる。これによって、使用状況に応じて装飾部材１００ｆを交換したり、使用者の好みに応じたカラフルな演出効果を付与したりすることが容易にできる。なお、内壁部材１００ｅを軽量な合成樹脂製などとしてもよいことは言うまでもない。
【０１００】
（実施例４）
図２１は本発明の実施例４に係るプランタの斜視図、図２２はその分解斜視図、図２３はその使用状態の説明図である。
【０１０１】
図２１（ａ）、図２２、図２３に示すように、実施例４のプランタ２００は、その内部に土壌Ｓが保持され対向する内壁面を有した左右一対のプランタ分割体２０１、２０２と、連結されたプランタ分割体２０１、２０２の底部側を支持するプランタ支持体２０３と、プランタ分割体の長手方向端部に設けられ端部側を閉止するための側端部材２０４の端部がＬ字状金具２０５ａなど介して着脱される連結部２０５と、プランタ分割体２０１、２０２の間に収納された土壌Ｓに水分や栄養分を供給するための給水部２０６と、プランタ支持体２０３上にプランタ分割体２０１、２０２の間隔をスライド又は段階的に位置設定自在に支持するための係止部２０７とを備えている。
【０１０２】
なお、側端部材２０４を、図２１（ｂ）の変形例に示すように、Ｌ字状金具２０５ａを介することなくプランタ分割体２０１、２０２の端部に設けられた溝部などに嵌合させて上下にスライドして着脱されるように連結部２０５を形成してもよい。
【０１０３】
給水部２０６は、プランタ支持体２０３の上部に沿って配置され透水孔が多数形成されて外部から水分や栄養分を含む水などが供給される透水管２０６ａと、同透水管２０６ａの周囲を覆うように配置された略直方体状に伸延するセラミックスなどからなる多孔質体２０６ｂと、同多孔質体２０６ｂにその基部が貫入して立設されて、その側壁に形成された細孔などを介して収容された土壌Ｓの上部に水分を補給するメッシュ状の水分補給管２０６ｃと、同水分補給管２０６ｃの先端に設けられた引手部２０６ｄとを有している。なお、多孔質体２０６ｂは金属製やプラスチック製などからなるコの字状断面を有したケーシング２０６ｅを介して、プランタ支持体２０３上に固定されている。また、水分補給管２０６ｃの内部には綿や吸水性高分子などからなるバルク状の吸水体を充填しておき、透水管２０６ａからの水分供給を止めても、ここに常時所定量の水分が保持されるようにして、土壌Ｓにおける水分の過度の放出を阻止するようにしてもよい。
【０１０４】
このように給水部２０６の透水管２０６ａに所定量の水分などを供給することによって、上部側の水分補給管２０６ｃと多孔質体２０６ｂとを介してプランタ２００内の土壌の上部及び下部に水分や栄養分を効果的に供給できる。
【０１０５】
左右一対のプランタ分割体２０１，２０２を所定間隔で係止させるための係止部２０７は、図２２及び図２３に示すようにプランタ支持体２０３上に形成されたプランタ分割体２０１，２０２の底部が係止されるフック部２０７ａと、フック部２０７ａ底部の突起などが嵌合するプランタ支持体２０３の所定位置に形成された係止孔２０７ｂとを備えている。こうして、位置決めした後、プランタ分割体２０１，２０２と、プランタ支持体２０３とをボルトナット２０６ｆなどを介して締めつけて所定位置で固定してその間隔を設定して、プランタ分割体２０１，２０２間に収容できる土壌Ｓの量をその都度、適正量に調整することができる。
【０１０６】
（実施例５）
図２４（ａ）は本発明の実施例５に係るプランタ３００の斜視図、図２４（ｂ）はその使用状態の説明図である。
【０１０７】
図２４に示すように、実施例５のプランタ３００は、板状に形成した複数のプランタ分割体３０１，３０２と、これらプランタ分割体３０１，３０２同士を所定間隔で連結支持するプランタ支持体３０６と、前記プランタ分割体３０１，３０２の長手方向端部に設けられ、他のプランタ分割体３０３，３０４や端部側を閉止する側端部材に着脱される連結部とを有し、前記複数のプランタ分割体３０１，３０２，３０３，３０４間に多列の土壌収納空間Ｓ’を形成している。
【０１０８】
すなわち、その内部に土壌Ｓが保持され対向する内壁面を有して図示しない連結部を長手方向の端部に備えた左右一対のプランタ分割体３０１，３０２と、プランタ分割体３０１及び３０２に平行してその中間位置に所定間隔で立設された中間仕切部となる他のプランタ分割体３０３、３０４と、前記プランタ分割体３０１，３０２と、中間仕切部となる他のプランタ分割体３０３，３０４の底部側をＬ字状金具３０５などを介して所定間隔で立設された略板状のプランタ支持体３０６と、を備えている。なお、中間仕切部となる他のプランタ分割体３０３，３０４間のプランタ支持体３０６には前記実施例４と同様の構成の給水部２０６が配設されている。また、プランタ支持体３０６上に立設された他の他のプランタ分割体３０３，３０４の下部には通水口３０７が設けられ、多列に形成された土壌収納空間Ｓ’間が連通することになり、土壌Ｓを介して水分がプランタ３００内で移動可能になっている。
【０１０９】
また、中間仕切り部となる他のプランタ分割体３０３，３０４の高さを高くし、外方に向けて漸次プランタ分割体（ここでは一対のプランタ分割体３０１，３０２）の高さを低くしていけば、各列に植栽した植物の鑑賞もしやすく、かつプランタとしての見栄えもよい。
【０１１０】
このように、一つのプランタ３００で多列に植栽できることから、一つのプランタ３００に異なる植物を植える場合に好適に用いることができる。
【０１１１】
（実施例６）
図２５（ａ）は本発明の実施例６に係るプランタ４００の斜視図、図２５（ｂ）はその使用状態の説明図である。
【０１１２】
図２５に示すように、実施例６のプランタ４００は、図示しない連結部を長手方向の端部に備え細長帯状の積層板材４０１を複数積層させてなる左右一対のプランタ分割体４０２，４０３と、前記積層板材４０１に穿設された挿入孔４０４に挿入される支持棒４０５と、同支持棒４０５が立設される略板状のプランタ支持体４０６と、を備えている。なお、プランタ支持体４０６上には実施例４と同様の構成の給水部２０６が配設されているとともに、図２５の手前側及び奥側のプランタ分割体４０２、４０３の端部は図示しないエンドキャップなどの側端部材で封止したり、連結部を介して他のプランタ４００同士と連結したりすることができるようになっている。
【０１１３】
このように構成された実施例６のプランタ４００は、前記実施例４、５などの給水部２０６による水分補給効果に加えて、積層板材４０１を積層させて高さを調整して、内部に収容できる土壌量を設定できる他に、デザインの付加性などにも優れている。
【０１１４】
【発明の効果】
発明は上記のような形態で実施されるもので、以下の効果を奏する。
【０１１５】
（１）請求項１記載の本発明によれば、連結部を介して複数のプランタ同士を自在に連結して配置できるので、多様な場所に対応させてそのプランタデザインを自在に行うことができる。また、使用しない場合には、プランタをプランタ分割体とプランタ支持体とに分解できるのでその収納性に優れている。さらに、これら各部材を個別に製造できるので生産性に優れ低コストでプランタを製造できる。また、プランタ同士を複数組み合わせてネットワーク状に構成できるので、潅水や排水などのコントロールを行いやすくすることができる。しかも、プランタの幅寸、すなわちプランタの容積そのものを可変とすることができる。すなわち、根詰まりによる植生劣化を再活性化するために、分割体を拡幅方向に移動させることにより鉢を代えることと同等な効果を期待できる。
【０１１６】
（２）請求項２記載の本発明によれば、板状に形成した複数のプランタ分割体と、これらプランタ分割体同士を所定間隔で連結支持するプランタ支持体と、前記プランタ分割体の長手方向端部に設けられ、他のプランタ分割体や端部側を閉止する側端部材に着脱される連結部とを有し、前記複数のプランタ分割体間に多列の土壌収納空間を形成したプランタとしたことにより、一つのプランタで多列に植栽することが可能となり、種類の異なる植物を一つプランタに植える場合にもきわめて都合がよく、種類の異なる植物の鑑賞もしやすくなる。
【０１１７】
（３）請求項３記載の本発明によれば、上記（１）及び（２）の効果に加え、プランタ支持体に前記プランタ分割体の間隔をスライド又は段階的に位置設定自在に支持する係止部を設けることによって、プランタ分割体間に収容できる土壌の量をその使用環境に応じて適宜調整することができ、汎用性に優れたプランタを提供できる。
【０１１８】
（４）請求項４記載の本発明によれば、上記（１）または（２）または（３）の効果に加え、プランタ分割体の内壁間に収納された土壌に水分や栄養分を供給する給水部を設けることができ、プランタにおける植物の栽培管理などを容易かつ適正に行うことができる。さらに多数のプランタを連結させてネットワーク状に緑化システムを広範囲に構成する際に全体を集中管理でき、そのメンテナンス性に優れている。
【０１１９】
（５）請求項５記載の本発明によれば、上記（１）〜（４）のいずれかの効果に加え、プランタ分割体を内壁部材と装飾部材との２層構造として、プランタにおける装飾性や汎用性を高めることができ、栽培する植物の種類や、季節などの環境条件に応じて装飾部材を別のデザインのものに交換して、年間を通じて飽きさせることなく周囲の目を楽しませることができる。
【０１２０】
（６）請求項６記載の本発明によれば、土壌を収容可能としたプランタの端部同士を連結自在として延長自在に構成するとともに、中継枡を介して縦横連結自在に構成したことにより、プランタ同士を簡単に連結して長手方向へ延長することができ、潅水や排水などのコントロールを行いやすくできるとともに、設置条件に対応させてグリーンベルトなどを簡単に構築することができる。しかも、中継枡を介して縦横連結自在に構成したことにより、配設するプランタの伸延方向を例えば直角方向に変えたりして、プランタ群を面状に伸延させたりするなど、プランタを所望するレイアウトで配設することが可能となって、建物の屋上などにプランタを自由にレイアウトして、所望する領域の緑化が簡便かつ低コストで行える。
【０１２１】
（７）請求項７記載の本発明によれば、プランタの端部同士を連結自在として延長自在にしているので、プランタを縦横に配設し、また、かかるプランタ同士を中継枡などを介して複数個連続的に連結可能とすることができ、建物の屋上などにプランタを自由にレイアウトして、所望する領域の緑化が簡便に行える。
【０１２２】
さらに、中継枡を用いることにより、配設するプランタの伸延方向を例えば直角方向に変えたりして、プランタ群を面状に伸延させたりするなど、プランタを所望するレイアウトで配設することが可能となる。
【０１２３】
（８）請求項８記載の本発明によれば、上記（５）または（６）または（７）の効果に加え、上記プランタを高さ調整自在に支持するスペーサ体を具備することとしたので、プランタはスペーサにより浮いた状態で支持され、プランタと建物の屋上面との間に空間が形成されることになるから、遊水などは自由に排水可能で、かつ速やかに屋上面を乾燥させることもできる。
【図面の簡単な説明】
【図１】本発明の実施例１に係る緑化システムを示す説明図である。
【図２】同緑化システムを採用してビルディングなどの建物の屋上を緑化した状態を示す説明図である。
【図３】プランタの接続構造を示す説明図である。
【図４】プランタの接続構造の変形例を示す説明図である。
【図５】エンドキャップの説明図である。
【図６】スペーサ体の使用状態を示す説明図である。
【図７】プランタのスペーサ体への取付構造の一例を示す説明図である。
【図８】プランタの接続構造及びスペーサ体の変形例を示す説明図である。
【図９】谷部用専用接続具の説明図である。
【図１０】実施例２に係るプランタの説明図である。
【図１１】実施例２に係るプランタの分解斜視図である。
【図１２】実施例２に係るプランタの変形例を示す分解斜視図である。
【図１３】プランタ分割体を平板状としたプランタの一例を示す説明図である。
【図１４】プランタ分割体を平板状としたプランタの一例を示す説明図である。
【図１５】プランタ分割体を平板状としたプランタの一例を示す説明図である。
【図１６】プランタ分割体を平板状としたプランタの一例を示す説明図である。
【図１７】実施例３に係るプランタが適用される緑化システムの斜視図である。
【図１８】同緑化システムを示す平面図である。
【図１９】同緑化システムの正面断面図である。
【図２０】（ａ）プランタ分割体同士を連結させる変形例の説明図である。
（ｂ）プランタ分割体同士を連結させる変形例の説明図である。
（ｃ）プランタ分割体同士を連結させる変形例の説明図である。
【図２１】実施例４に係るプランタの斜視図である。
【図２２】その分解斜視図である。
【図２３】その使用状態の説明図である。
【図２４】（ａ）実施例５に係るプランタの斜視図である。
（ｂ）その使用状態の説明図である。
【図２５】（ａ）実施例６に係るプランタの斜視図である。
（ｂ）その使用状態の説明図である。
【符号の説明】
Ａ　緑化システム
Ｂ　被緑化面
１　実施例１のプランタ
１’　実施例２のプランタ
１ａ　プランタ分割体
２　中継枡
３　スペーサ体（プランタ支持体）
４　植栽補助手段
１０、１０’　係合部（連結部）
１００　実施例３のプランタ
１００ａ　プランタ分割体
１００ｂ　プランタ支持体
１００ｃ　連結部
１００ｄ　簀の子状部材
１００ｅ　内壁部材
１００ｆ　装飾部材
１００ｇ　補強部材
１００ｈ　支持ガイド
１００ｉ　シート
１０１　緑化システム
２００　実施例４のプランタ
２０１、２０２　プランタ分割体
２０３　プランタ支持体
２０４　側端部材
２０５　連結部
２０５ａ　Ｌ字状金具
２０６　給水部
２０７　係止部
３００　実施例５のプランタ
３０１、３０２　プランタ分割体
３０３、３０４　中間仕切部
３０５　Ｌ字状金具
３０６　プランタ支持体
４００　実施例６のプランタ
４０１　積層板材
４０２、４０３　プランタ分割体
４０４　挿入孔
４０５　支持棒
４０６　プランタ支持体
【図１】
2004049226.tif 000003
【図２】
2004049226.tif 000004
【図３】
2004049226.tif 000005
【図４】
2004049226.tif 000006
【図５】
2004049226.tif 000007
【図６】
2004049226.tif 000008
【図７】
2004049226.tif 000009
【図８】
2004049226.tif 000010
【図９】
2004049226.tif 000011
【図１０】
2004049226.tif 000012
【図１１】
2004049226.tif 000013
【図１２】
2004049226.tif 000014
【図１３】
2004049226.tif 000015
【図１４】
2004049226.tif 000016
【図１５】
2004049226.tif 000017
【図１６】
2004049226.tif 000018
【図１７】
2004049226.tif 000019
【図１８】
2004049226.tif 000020
【図１９】
2004049226.tif 000021
【図２０】
2004049226.tif 000022
【図２１】
2004049226.tif 000023
【図２２】
2004049226.tif 000024
【図２３】
2004049226.tif 000025
【図２４】
2004049226.tif 000026
【図２５】
2004049226.tif 000027